(57)【特許請求の範囲】
【請求項１】
ａ．着用者の胸を覆うように構成された前部と；
ｂ．前記着用者の胴体を囲むように、前記前部に接続された後部と；
ｃ．前記前部及び前記後部の下縁に沿って取り付けられた胴体バンドと；
ｄ．前記前部と前記後部との間に接続された一対の肩ストラップとを備え；
少なくとも前記前部のバスト領域は、外側生地層と、内側生地層と、前記外側生地層と前記内側生地層との間に配設されたサポート力のある中間生地層とを備え、
前記中間生地層は、前記バスト領域の上部に配置された第１の部分と、前記着用者の胸の側面に合った位置に配置された一対の第２の部分とを備え、
前記中間生地層は、第１の程度の伸びを有する第１の生地を備え、
前記外側生地層及び前記内側生地層は、第２の程度の伸びを有する第２の生地を備え、
前記第１の程度の伸びは、前記第２の程度の伸びよりも小さく、
前記第１の生地は、メッシュを備える、
ブラ。
【請求項２】
前記外側生地層、前記内側生地層、前記中間生地層は、ナイロン及びスパンデックスを含み、
前記中間生地層は、前記外側生地層及び前記内側生地層よりナイロンの比率が高い、
請求項１の記載のブラ。
【請求項３】
前記第１の部分は、その中心から下へ向かって延在し、前記ブラが着用された際には前記着用者の概ね胸の間に位置するストリップを含む、
請求項１または２に記載のブラ。
【請求項４】
前記前部のブレース領域は、２層のメッシュを備え、
前記ブレース領域は、少なくとも一部が、前記バスト領域と前記胴体バンドとの間に配置される、
請求項１乃至３のいずれかに記載のブラ。
【請求項５】
前記中間生地層と前記前部の前記ブレース領域は、一対の実質的に環状のサポートポケットを形成する、
請求項４に記載のブラ。
【請求項６】
前記前部は、前記バスト領域の上部から延在する一対の肩部を含み、
前記肩部は、各肩ストラップに接続される、
請求項１乃至５のいずれかに記載のブラ。
【請求項７】
前記肩部は、前記外側生地層と、前記内側生地層と、前記外側生地層と内側生地層との間に配設されたゲル層とを含む、
請求項６に記載のブラ。
【請求項８】
前記胴体バンドは、けば立て加工された生地を備える、
請求項１乃至７のいずれかに記載のブラ。
【請求項９】
前記けば立て加工された生地は、ポリエステル及び綿のうちの少なくとも一方を備える、
請求項８に記載のブラ。
【請求項１０】
前記胴体バンドは、外側面と内側面とを有し、
前記内側面は、隆起したセルを有するハニカムパターンを備える、
請求項１乃至９のいずれかに記載のブラ。
【請求項１１】
前記胴体バンドには、放湿性を高めるための処理が施された、
請求項１乃至１０のいずれかに記載のブラ。
【請求項１２】
少なくとも前記内側生地層と前記外側生地層に、温度上昇とともに放湿性を高めるための処理が施された、
請求項１乃至１１のいずれかに記載のブラ。
【請求項１３】
前記後部は、本体部と、前記着用者の肩甲骨の間に配置するように幅が狭く構成された接続体部とを更に備え；
前記接続体部は、前記本体部とは別に形成されて、前記本体部に結合され、
前記本体部は、前記胴体バンドに取り付けられた下縁と、前記胴体バンドから間を隔てて配置された上縁とを備え、
前記本体部は、前記胴体バンドに沿って配設されて前記前部の両側に結合し、
前記接続体部は、前記本体部の下縁周りの前記胴体バンドに取り付けられ、前記胴体バンドから上方へ向かって突出して前記肩ストラップに接続し、
前記接続体部は、前記接続体部の下縁で前記胴体バンドに取り付けられ、前記本体部の上縁で前記本体部に取り付けられた、
請求項１乃至１２のいずれかに記載のブラ。
【請求項１４】
前記接続体部は、メッシュ生地を備え、
前記中間生地層は、前記接続体部のメッシュ生地と同一のメッシュ生地を備える、
請求項１３に記載のブラ。
【請求項１５】
ａ．着用者の胸を覆うように構成された前部と；
ｂ．前記着用者の胴体を囲むように前記前部に接続された後部と；
ｃ．胴体バンドと；
ｄ．前記前部と前記後部との間に接続された一対の肩ストラップとを備え；
前記後部は、
ｉ．本体部と、
ｉｉ．前記着用者の肩甲骨の間に配置するように幅が狭く構成された接続体部とを備え、
前記接続体部は、前記本体部とは別に形成されて、前記本体部に結合され、
前記本体部は、前記胴体部に取り付けられた下縁と、前記胴体バンドから間を隔てて配置された上縁とを備え、
前記本体部は、前記胴体バンドに沿って配設されて前記前部の両側面に結合し、
前記接続体部は、前記本体部の下縁周りの前記胴体バンドに取り付けられ、前記胴体バンドから上方へ向かって突出して前記肩ストラップに接続し、
前記接続体部は、前記本体部に、前記下縁及び前記上縁において取り付けられ、
前記接続体部は、前記本体部の上縁ではステッチで取り付けられる、
ブラ。
【請求項１６】
前記前部は、外側生地層と、内側生地層と、前記内側生地層と前記外側生地層との間に配設されたサポート力のある中間生地層とを有するバスト領域を備え、
前記中間生地層は、前記バスト領域の上部に配置された第１の部分と、前記着用者の胸の側面に合ったように配置された一対の第２の部分とを備える、
請求項１５に記載のブラ。
【請求項１７】
前記接続体部は、メッシュ生地を備え、
前記サポート力のある中間生地層は、前記接続体部と同一のメッシュ生地を備える、
請求項１５または１６に記載のブラ。
【請求項１８】
前記メッシュ生地は、第１の程度の伸びを有する第１の生地を構成し、
前記内側生地層及び前記外側生地層は、少なくとも第２の程度の伸びを有する第２の生地を備え、
前記第１の程度の伸びは、前記第２の程度の伸びよりも小さい、
請求項１７に記載のブラ。
【請求項１９】
前記接続体部は、前記本体部の下縁のうち前記接続体部が重なる部分と、前記本体部の上縁のうち前記接続体部が重なる部分とでのみ、前記本体部に取り付けられ、それ以外は、前記本体部に取り付けられていない、
請求項１５乃至１８のいずれかに記載のブラ。
【請求項２０】
前記前部は、前記バスト領域の下側周辺にブレース領域を備え、
前記ブレース領域は、前記バスト領域の前記外側生地層を前記胴体バンドに接続し、
前記ブレース領域は、前記第２の程度の伸びを有する第２の生地より伸びの小さい前記第１の程度の伸びを有する第１の生地を備える、
請求項１乃至３のいずれかに記載のブラ。
【発明の詳細な説明】
【技術分野】
【０００１】
本開示は、補整下着（ファウンデーションガーメント）、特にブラジャーに関し、より詳細には、快適性及び／又はサポート（支持）が改善されたブラ、主として運動用ブラを提供する。
【背景技術】
【０００２】
ブラジャー、特に運動用又はスポーツブラには様々な構造のものがある。一般に、これらのスポーツブラは、運動中の胸の動きを減らすため、多くの場合は圧迫によって、女性の胸に対してより高いサポート力を提供するように設計されている。場合によっては、所望のレベルのサポートとコントロール（制御）を得るために、１つ以上のブラを同時に着用する必要のある女性がいることも知られている。胸が小さめの女性であっても、特に運動中の着用者の胴体部のずれによって、着用者のブラが不快になる状況が発生することもある。よくある苦情は、ブラジャー素材が着用者の肌を擦ってしまう、胴体バンドが望まずとも上下に動いてしまう、汗に対応できていない等である。
【０００３】
従来技術の上記問題点の１つ以上を改善したブラ、特には運動用ブラ、が必要とされている。
【発明の概要】
【０００４】
少なくとも第１の実施の形態のブラは、ここで開示するように、着用者の胸を覆うように構成された前部と、着用者の胴体を囲むよう、前部に接続された後部と、前部と後部の下縁に沿って取り付けられた胴体バンドとを有する。少なくともこの第１の実施の形態において、ブラは、ブラの前部を形成する内側層と外側層との間に配設されたサポート力のある支持用生地層を含む。サポート力のあるこの生地層は、前部の上部に位置する少なくとも１つの第１の部分と、着用者の胸の両側に合うように配置された一対の第２の部分とを含む。
【０００５】
少なくとも第２の実施の形態のブラは、ここで開示するように、着用者の胸を覆うように構成された前部と、着用者の胴体を囲むよう、前部に接続された後部と、前部と後部の下縁に沿って取り付けられる胴体バンドとを有する。少なくともこの第２の実施の形態において、ブラの後部は、胴体を取り囲む部分と接続体部分とを含む。胴体を取り囲む部分は、胴体バンドに取り付けられた下縁と、胴体バンドから間を隔てた上縁とを有する。胴体を取り囲む部分は胴体バンドに沿って配設され、前部の両側と結合される。接続体部は、胴体バンドから上方へ向かって突出し、胴体と、胴体を取り囲む部分の上縁とで縫い付けられる。
【０００６】
本発明のこれらの態様及び他の態様は、下記の好ましい実施の形態の説明及び添付図面から当業者には明らかになるであろう。なお、言うまでもなく、上記の一般的な説明及び以下の詳細な説明は単なる説明であり、ここに請求（クレーム）する発明を制限するものではない。
【図面の簡単な説明】
【０００７】
【図１】図１は、本開示の実施の形態に係るブラの外側の正面図である。
【０００８】
【図２】図２は、本開示の実施の形態に係るブラの外側の背面図である。
【０００９】
【図３】図３は、本開示の実施の形態に係るブラの内側の正面図である。
【００１０】
【図４】図４は、本開示のブラの幾つかの実施の形態における中間層の概略正面図である。
【発明を実施するための形態】
【００１１】
本開示における例示の実施の形態について、下記に説明するとともに添付図面に示すが、いくつかの図を通して同様の部材には同様の符号を付している。記載の実施の形態は例であって、本発明の範囲を限定するものではないと解釈すべきである。他の実施の形態や、既述の実施の形態の変更及び改良は、当業者であれば想到し得るものであり、そのような他の実施の形態、変更及び改良は本発明の範囲に含まれる。一の実施の形態又は態様の特徴を他の実施の形態又は態様と適切に組み合わせることも可能である。例えば、方法の態様又は実施の形態の個別的又は集合的な特徴を、装置、製品又は構成部品の態様又は実施の形態に適用でき、その逆も可能である。
【００１２】
ここで用いられているように、用語「内部の（inner）」及び「内側の（inside）」は、諸用品や諸形状が着用者の体又は肌から相対的に近くにあることを示すべく用いられる。他方、用語「外部の（outer）」又は「外側の（outside）」は、諸用品や諸形状が他の要素に対して、着用者の体又は肌から相対的に遠くにあることを示すべく用いられる。さらに、用語「上側の（upper）」、「上向きの（upward）」、「上の（top）」、「の上方の（above）」等は、諸用品や諸形状が相対的に着用者の頭部又は肩周りにあることを示すべく用いられる。他方で、用語「下側の（lower）」、「下向きの（downward）」、「下の（bottom）」、「の下方の（below）」等は、使用時に、諸用品や諸形状が相対的に着用者の腰部又は臀部寄りにあることを示すべく用いられる。
【００１３】
図面、特には図１及び図２を参照して、本開示の実施の形態に係るブラ１について説明する。ブラ１は、前部１００と、後部２００と、胴体バンド３００と、一対の肩ストラップ４００とを含む。図示の実施の形態において、ブラ１は概ねスポーツブラ又は運動用ブラとして示されている。しかし、ユーザーは、ここで述べる特徴を持つブラ１を自ら選択して、いつどんな活動にも着用してもよい。すなわち、ここに開示するブラ１は、着用者が運動しているときだけでなく、どのような場合でも快適性とサポートをもたらすことが分かる。
【００１４】
図１に示すとおり、ブラ１の前部１００は複数の部分を画成することができる。これらの部分とは、バスト（胸部）領域１１０と、ブレース領域１５０と、一対の側面領域１８０と、一対の肩部１７０とを含む。バスト領域１１０は、前部１００の大半を包含するよう構成されている。バスト領域１１０は、着用者のバスト又は胸を覆うようになされている。バスト領域１１０を着用者の胸に合わせてモールド成形又は整形することにより、別体のカップをあらかじめ決めておくことは任意である。バスト領域１１０の少なくとも一部は、少なくとも三層構造になっており、外側生地層１１５と、内側生地層１２０（図２を参照）と、中間生地層１２５（図４を参照）とを有する。外側生地層１１５及び内側生地層１２０は、約８２％ナイロンと１８％スパンデックストリコットを有する編生地を備えるようにすることができる。しかしながら本開示は、内側及び外側生地層にそのような生地を使用することに限定されるものではなく、他の適切な生地も本開示の範囲内であり、例えば、レーヨン、ポリエステル、ポリプロピレン、及び他のエラストマ糸からなる生地も含む。好ましくは、外側生地層１１５及び内側生地層１２０にはトリートメント又はコーティングが施されて、層は、肌からの湿気の放湿性が強化されている。より好ましくは、着用者がトレーニングをしているときのように、ブラ１の周辺温度が上昇するにつれて生地の放湿性が高まるようにする。温度依存性の所望の放湿性が得られるそのようなトリートメントとしては、スイスのＺｕｒｚａｃｋのＨｅｉＱ  Ｍａｔｅｒｉａｌｓ  ＡＧのＡｄａｐｔｉｖｅＴＭ（商標）が挙げられる。
【００１５】
図４に最も良く示すように、中間生地層１２５は、外側生地層１１５と内側生地層１２０との間に配設されてサポート構造を提供する。中間生地層１２５は生地を備え、好ましくはメッシュ（網目状の織物）であり、一の実施の形態においてメッシュ生地はナイロン８３％、スパンデックス１７％から形成される。しかし本開示は、中間層にそのような生地を使用することに限定されるものではなく、他の適切な生地も本開示の範囲内であり、例えば、レーヨン、ポリエステル、ポリプロピレン、及び他のエラストマ糸からなる生地も含む。
【００１６】
上記の内容から分かるように、中間生地層１２５は、内側生地層１２０及び外側生地層１１５と比べてナイロンの比率が高い。メッシュ構造を採用し、ナイロンの比率を高めることで、内側生地層１２０及び外側生地層１１５と比較して、より弾性係数の高い、すなわち、伸び（stretching、ストレッチ）に対して耐性のある中間生地層１２５を得ることができる。すなわち、中間生地層１２５は伸びがより小さい方がよい。中間生地層１２５は弾性係数が高いので、ブラ１の着用者の胸に対する中間生地層１２５のサポート力が向上する。各メッシュ構造は比較的粗い生地になってしまうため、内側及び外側生地層の間に配設して、着用者の肌に直接触れるのを減らし、擦れを防ぐ。
【００１７】
さらに図４を参照して、中間生地層１２５によって画成されたサポート構造は、第１の上部分１３０と一対の第２の下部分１４０とを含む。第１の部分１３０は、カバー領域１１０の上部に合うように構成されており、着用者の胸の概して上方に位置するようになっており、着用者の胸の上下動に対しブラのコントロールが強化される。実施の形態によっては、追加のストリップ１３５が第１の部分１３０の中央近傍から下に向けて延在する。後で、この追加のストリップ１３５は着用者のほぼ胸の間に配設されることになる。一対の第２の下部分１４０は、着用者の胸の側面に合うように配置されており、着用者の胸の横方向の動きに対するブラのコントロールが強化される。
【００１８】
さらに図４を参照すると、少なくとも幾つかの実施の形態において、中間生地層１２５は少なくとも一部で、一対の概ね環状の、すなわち中央部が開いたサポートポケット１６０を画成する。そのような構造により、ブラ１の全体としての嵩を減らすことができ、また、中間生地層１２５の一部を比較的湿度の高いエリアに位置させる。また、中間生地層１２５を形成するメッシュを用いることにより、そのような比較的湿度の高いエリアにおけるブラ１の通気性は向上する。
【００１９】
図１に戻ると、前部１００は更にバスト領域１１０の下側及び横側の周辺にブレース（補強）領域１５０を備え、ブラ１を着用した際に着用者の胸の下と横側のサポートをもたらすように構成されている。ブレース領域１５０は前部１００の底部を形成し、胴体バンド３００に縫い付けることができる。好ましくは、ブレース領域１５０は、中間生地層１２５を形成するために使用するメッシュのような、少なくとも１枚のサポート生地の層によって画成される。ブレース領域１５０は環状サポートポケット１６０の一部も画成し、中間生地層１２５の素材で完結する。一の実施の形態において、ブレース領域１５０の少なくとも一部に中間生地層１２５を形成する際に使用するサポートメッシュ生地が２層含まれている。好ましくは、ブレース領域１５０の中央は二層のメッシュを含み、多孔性メッシュを用いることによりこのエリアでの通気性が向上する。
【００２０】
前部１００は更に肩部１７０を備える。肩部１７０は、バスト領域１１０から延在する外側生地層１１５と内側生地層１２０とを含むことができる。好ましくは、バスト領域１１０の外側生地層１１５と両方の肩部１７０とは一枚の生地で形成する。しかし、複数の生地を縫い合わせたり、別の方法で結合することも可能である。一の実施の形態において、肩部１７０は、外側生地層１１５と内側生地層１２０との間に配設されたゲル層１７５を含む。ゲル層１７５は、着用した際にブラ１の肩部最高部またはその近傍において緩衝体として機能する。
【００２１】
前部１００は更に、バスト領域１１０の横方向外側にそれぞれ配設された一対の横領域１８０を備えてもよい。また、任意で、ブレース領域１５０の横方向外側であってもよい。横領域１８０は、前部１００から後部２００への移行部として機能する。実施の形態によっては、横領域１８０を形成する生地を積層して安定性を高めてもよい。用いることができるラミネート層の１つは、デラウェア州ＭｉｄｄｌｅｔｏｗｎのＤｅｌＳｔａｒ  Ｔｅｃｈｎｏｌｏｇｉｅｓ，  Ｉｎｃ．が製造するＤｅｌｎｅｔ（登録商標）フィルム（製品番号＃ＰＱ２１８ＮＡＴ）である。
【００２２】
図２を参照すると、ブラ１は後部２００を含む。後部２００は一般的に、着用者の背中に沿って着用されるよう構成されたブラ１の一部と考えられる。後部２００は一対の横領域１８０の間を横方向に延びて、後部２００を前部１００に接続する。後部２００は、胴体バンド３００と一対の肩ストラップ４００との間にも延びている。後部２００は本体部２１０と接続体部２４０とを有することができる。本体部２１０は、下縁２１５と上縁２２０とを含む。一の実施の形態において、下縁２１５は胴体バンド３００に縫い付けられるか、他の周知の結合又は接合技術により取り付けられる。上縁２２０は、胴体バンド３００から間を隔てた上方に位置する。一の実施の形態において、本体部２１０は、中間生地層１２５で用いるメッシュでできている外側層と、前部１００の内側生地層１２０と同じ素材の内側層との二層構造とすることができる。
【００２３】
さらに図２を参照すると、接続体部２４０は本体部２１０とは別に形成されて、本体部２１０に結合されている。接続体部２４０は、胴体バンド３００から上方へ向かって突出するように配設され、例えば、コーティングされた金属からなるスライダ（長さを調節する環）４１０を用いて、肩ストラップ４００に接続されてもよい。一の実施の形態において、接続体部２４０は、胴体バンド３００と本体部２１０の下縁２１５との間の縫い目、及び本体部２１０の上縁２２０でブラ１に取り付けられている。接続体部２４０は、本体部２１０の上縁２２０で、ブラ１にステッチ２４５で取り付けられてもよい。好ましくは、接続体部２４０はこの２ケ所だけで本体部２１０に取り付けられる。それ以外の場合は、本体部２１０には取り付けない。
【００２４】
接続体部２４０は、着用者の肩甲骨の間に快適に位置するようにして、擦れの可能性を更に低減するために、幅を狭く構成されている。接続体部２４０は二層構造を含んでもよく、各層は中間生地層１２５で用いるメッシュ生地を備える。
【００２５】
図２及び図３において、外側面３０５と内側面３１０とを有する胴体バンド３００は、ブラ１の性能を向上させる特徴を含むことができる。一の実施の形態において、胴体バンド３００はポリエステル及びナイロンの少なくとも一方を含む、けば立て加工された素材からなる。けば立て加工された素材の性質により、肌触りは滑らかになり摩擦と擦れが減少する。胴体バンドのけば立て加工された素材は、香港のＫｗａｉ  ＣｈｕｎｇのＲｅｇｉｎａ  Ｍｉｒａｃｌｅ  Ｉｎｔｅｒｎａｔｉｏｎａｌ，  Ｌｔｄ．  から入手することができる。胴体バンド３００は生地の放湿性を向上させる処理がされてもよい。
【００２６】
更に図３を参照すると、一の実施の形態において、胴体バンド３００は密集したハニカムパターンを含んで構成されている。図３に示すように、ハニカムパターンのセル３１５は、胴体バンド３００の内側面３１０に沿って隆起部を形成する。これらの隆起セル３１５は、接触表面の肌触りが優しく滑らかであると同時に、胴体バンド３００と肌との間の動きを制限する。
【００２７】
図１に戻ると、肩ストラップ４００は、接続体部２４０と肩部１７０との間に配置されている。これらの肩ストラップ４００は、各端部において接合、縫い付け、又はスライダ４１０により取り付けることができる。好ましい実施の形態において、肩ストラップ４００はその長さ方向においてスライダ４１０を含み、肩ストラップ４００の長さが調節可能なようにスライダ４１０に取り付けられる。肩ストラップ４００の長さが調整できることにより、カスタマイズされた装着感が得られる。
【００２８】
上記開示は、例示の実施の形態の文脈において説明したが、本発明の精神と範囲から逸脱することなく種々の変更及び変形が可能であることは、当業者が容易に理解するように、明らかである。それら変更及び変形は、請求項に記載の範囲及びその均等物の範囲に含まれる。
［第１の局面］
着用者の胸を覆うように構成された前部と；
前記着用者の胴体を囲むように、前記前部に接続された後部と；
前記前部及び前記後部の下縁に沿って取り付けられた胴体バンドと；
前記前部と前記後部との間に接続された一対の肩ストラップとを備え；
少なくとも前記前部のカバー領域は、外側生地層と、内側生地層と、前記内側生地層と前記外側生地層との間に配設されたサポート力のある中間生地層とを備え、
前記中間生地層は、前記カバー領域の上部に配置された少なくとも１つの第１の部分と、前記着用者の胸の側面に合った位置に配置された一対の第２の部分とを備える、
ブラ。
［第２の局面］
前記第１の部分は、その中心から下へ向かって延在し、前記ブラが着用された際には前記着用者の概ね胸の間に位置するストリップを含む、
第１の局面に記載のブラ。
［第３の局面］
前記中間生地層は、第１の程度の伸びを有する第１の生地を備え、
前記内側生地層及び前記外側生地層は、第２の程度の伸びを有する第２の生地を備え、
前記第１の程度の伸びは、前記第２の程度の伸びよりも小さい、
第２の局面に記載のブラ。
［第４の局面］
第１の生地は、メッシュを備える、
第３の局面に記載のブラ。
［第５の局面］
前記前部のブレース領域は、２層のメッシュを備え、
前記ブレース領域は、少なくとも一部が、前記カバー領域と前記胴体バンドとの間に配置される、
第４の局面に記載のブラ。
［第６の局面］
前記中間生地層と前記前部の前記ブレース領域は、一対の実質的に環状のサポートポケットを形成する、
第５の局面に記載のブラ。
［第７の局面］
前記前部は、前記カバー領域の上部から延在する一対の肩部を含み、
前記肩部は、各肩ストラップに接続される、
第１の局面に記載のブラ。
［第８の局面］
前記肩部は、前記外側生地層と、前記内側生地層と、前記外側生地層と内側生地層との間に配設されたゲル層とを含む、
第７の局面に記載のブラ。
［第９の局面］
前記胴体バンドは、けば立て加工された生地を備える、
第１の局面に記載のブラ。
［第１０の局面］
前記けば立て加工された生地は、ポリエステル及び綿のうちの少なくとも一方を備える、
第９の局面に記載のブラ。
［第１１の局面］
前記胴体バンドは、外側面と内側面とを有し、
前記内側面は、隆起したセルを有するハニカムパターンを備える、
第９の局面に記載のブラ。
［第１２の局面］
前記胴体バンドには、放湿性を高めるための処理が施された、
第９の局面に記載のブラ。
［第１３の局面］
少なくとも前記内側生地層と前記外側生地層に、温度上昇とともに放湿性を高めるための処理が施された、
第１の局面に記載のブラ。
［第１４の局面］
前記後部は、本体部と接続体部とを更に備え；
前記本体部は、前記胴体バンドに取り付けられた下縁と、前記胴体バンドから間を隔てて配置された上縁とを備え、
前記本体部は、前記胴体バンドに沿って配設されて前記前部の両側に結合し、
前記接続体部は、前記胴体バンドから上方へ向かって突出して前記肩ストラップに接続し、
前記接続体部は、その下縁及び上縁において前記胴体バンドに取り付けられている、
第１の局面乃至第１３の局面のいずれかに記載のブラ。
［第１５の局面］
前記接続体部は、メッシュ生地を備え、
前記中間生地層は、前記接続体部のメッシュ生地と同一のメッシュ生地を備える、
第１４の局面に記載のブラ。
［第１６の局面］
前記前部は、前記カバー領域の上部から延在する一対の肩部を更に備え、
前記肩部は、各肩ストラップに接続され、
前記肩ストラップは、長さを調節できる、
第１４の局面に記載のブラ。
［第１７の局面］
着用者の胸を覆うように構成された前部と；
前記着用者の胴体を囲むように前記前部に接続された後部であって、本体部と接続体部とを備える後部と；
胴体バンドと；
前記前部と前記後部との間に接続された一対の肩ストラップとを備え；
前記本体部は、前記胴体部に取り付けられた下縁と、前記胴体バンドから間を隔てて配置された上縁とを備え、
前記本体部は、前記胴体バンドに沿って配設されて前記前部の両側面に結合し、
前記接続体部は、前記胴体バンドから上方へ向かって突出し、前記肩ストラップに接続し、
前記接続体部は、前記本体部に、その下縁及び上縁において取り付けられる、
ブラ。
［第１８の局面］
前記前部は、外側生地層と、内側生地層と、前記内側生地層と前記外側生地層との間に配設されたサポート力のある中間生地層とを有するカバー領域を備え、
前記中間生地層は、前記カバー領域の上部に配置された少なくとも１つの第１の部分と、前記着用者の胸の側面に合ったように配置された一対の第２の部分とを備える、
第１７の局面に記載のブラ。
［第１９の局面］
前記接続体部は、メッシュ生地を備え、
前記サポート力のある中間生地層は、前記接続体部と同一のメッシュ生地を備える、
第１８の局面に記載のブラ。
［第２０の局面］
前記メッシュ生地は、第１の程度の伸びを有する第１の生地を構成し、
前記内側生地層及び前記外側生地層は、少なくとも第２の程度の伸びを有する第２の生地を備え、
前記第１の程度の伸びは、前記第２の程度の伸びよりも小さい、
第１９の局面に記載のブラ。
【符号の説明】
【００２９】
１        ブラ
１００    前部
１１０    バスト（胸部）領域、カバー領域
１１５    外側生地層
１２０    内側生地層
１２５    中間生地層
１３０    第１の上部分
１３５    追加のストリップ
１４０    第２の下部分
１５０    ブレース領域
１６０    サポートポケット
１７０    肩部
１７５    ゲル層
１８０    側面領域、横領域
２００    後部
２１０    本体部
２１５    下縁
２２０    上縁
２４０    接続体部
２４５    ステッチ
３００    胴体バンド
３０５    外側面
３１０    内側面
３１５    ハニカムパターンのセル、隆起セル
４００    肩ストラップ
４１０    スライダ
【図１】
0006279084.tif 000002
【図２】
0006279084.tif 000003
【図３】
0006279084.tif 000004
【図４】
0006279084.tif 000005